(57)【要約】【課題】利便性の高いアクセサリー、カメラ、アクセサリー制御プログラム、及びカメラ制御プログラムを提供することを目的とする。【解決手段】カメラに着脱可能なアクセサリーであって、カメラからの給電に基づいて蓄電部に充電する充電部と、カメラが動作可能な起動状態とは異なる所定状態に設定された場合でも給電を継続するようにカメラに対して要求する給電継続情報をカメラに対して送信し、カメラが所定状態に設定された場合に、給電継続情報に応じて、カメラからの給電を蓄電部に充電する充電部の制御を行うアクセサリー制御部と、を備える。【選択図】図４
2013064869.tif 000002
【特許請求の範囲】
【請求項１】
カメラに着脱可能なアクセサリーであって、
前記カメラからの給電に基づいて蓄電部に充電する充電部と、
前記カメラが動作可能な起動状態とは異なる所定状態に設定された場合でも前記給電を継続するように前記カメラに対して要求する給電継続情報を前記カメラに対して送信し、前記カメラが前記所定状態に設定された場合に、前記給電継続情報に応じて、前記カメラからの給電を前記蓄電部に充電する充電部の制御を行うアクセサリー制御部と、
を備えることを特徴とするアクセサリー。
【請求項２】
前記アクセサリー制御部は、
当該アクセサリーを機能させた履歴情報に基づいて、前記充電部による充電を行うか否かを判定し、当該判定結果に基づき前記充電部に充電させる
ことを特徴とする請求項１に記載のアクセサリー。
【請求項３】
前記アクセサリー制御部は、
当該アクセサリーを機能させた前記履歴情報に基づき、前記充電部による充電する充電量を制御する
ことを特徴とする請求項２に記載のアクセサリー。
【請求項４】
前記履歴情報とは、前記アクセサリーを機能させた回数であり、
前記アクセサリー制御部は、前記回数に基づき前記充電部による充電を制御する
ことを特徴とする請求項２または請求項３に記載のアクセサリー。
【請求項５】
前記アクセサリー制御部は、
前記回数が予め定められている値より多い場合、前記充電部に充電させる
ことを特徴とする請求項４に記載のアクセサリー。
【請求項６】
前記アクセサリー制御部は、
当該アクセサリーを機能させた履歴情報に基づいて、前記給電継続情報を生成し、当該生成した給電継続情報を前記カメラに対して送信するか否かを判定する
ことを特徴とする請求項１から請求項５のいずれか１項に記載のアクセサリー。
【請求項７】
前記アクセサリー制御部は、
前記カメラから給電が開始された直後に実行される初期通信、当該アクセサリーの状態が所定状態から変化したとき当該アクセサリーから前記カメラに前記初期通信の要求を送信したことに応じて実行される前記初期通信、及び前記カメラが前記所定状態から動作可能な起動状態になった後に実行される初期通信のいずれか１つの通信において、前記給電継続情報を前記カメラに対して送信する
ことを特徴とする請求項１から請求項６のいずれか１項に記載のアクセサリー。
【請求項８】
前記アクセサリー制御部は、
前記アクセサリーの持つ機能を示す機能情報を前記カメラに対して送信し、
前記機能情報の送信よりも後のタイミングで、前記給電継続情報を前記カメラに対して送信する
ことを特徴とする請求項１から請求項７のいずれか１項に記載のアクセサリー。
【請求項９】
前記所定状態とは、前記カメラの電源がオフとなる電源オフ状態、および前記カメラの消費電力が前記起動状態の場合の消費電力よりも少ない低消費電力状態のうち少なくとも１つの状態を含む
ことを特徴とする請求項１から請求項８のいずれか一項に記載のアクセサリー。
【請求項１０】
前記カメラからの給電を受ける端子部
をさらに備え、
前記アクセサリー制御部は、
前記端子部を介して、前記カメラからの給電を前記蓄電部に充電する充電部の制御を行う
ことを特徴とする請求項１から請求項９のいずれか１項に記載のアクセサリー。
【請求項１１】
前記アクセサリー制御部は、
前記カメラからの給電を受ける端子部とは別の通信用端子部を介して、前記給電継続情報を前記カメラに送信する
ことを特徴とする請求項１から請求項１０のいずれか１項に記載のアクセサリー。
【請求項１２】
請求項１から請求項１１のいずれか１項に記載の前記アクセサリーと着脱可能なカメラであって、
装着した前記アクセサリーに対して給電する給電端子部と、
カメラを制御するカメラ制御部と、
を備え、
前記カメラ制御部は、
前記カメラが動作可能な起動状態とは異なる所定状態に設定された場合でも前記給電の継続を前記カメラに対して要求する給電継続情報を、前記アクセサリーから受信可能であり、
前記給電継続情報を受信すると、前記所定状態に設定された場合でも、前記給電端子部を介した前記アクセサリーへの給電を継続する
ことを特徴とするカメラ。
【請求項１３】
前記カメラ制御部は、
前記アクセサリーを機能させた履歴情報に基づき、前記所定状態に設定された場合でも、前記給電端子部を介した前記アクセサリーへの給電の電力を制御する
ことを特徴とする請求項１２に記載のカメラ。
【請求項１４】
カメラに着脱可能なアクセサリーに設けられているアクセサリー制御部の動作の制御をコンピュータに実行させるためのアクセサリー制御プログラムであって、
前記カメラが動作可能な起動状態とは異なる所定状態に設定された場合でも給電を継続するように前記カメラに対して要求する給電継続情報を、前記カメラに対して送信する手順と、
前記カメラが前記所定状態に設定された場合に、前記給電継続情報に応じて、前記カメラからの給電を蓄電部に充電する充電部の制御を行う手順と、
をコンピュータに実行させるためのアクセサリー制御プログラム。
【請求項１５】
請求項１から請求項１１のいずれか１項に記載の前記アクセサリーを着脱可能なカメラに設けられているカメラ制御部の動作の制御をコンピュータに実行させるためのカメラ制御プログラムであって、
前記カメラが動作可能な起動状態とは異なる所定状態に設定された場合でも給電の継続を前記カメラに対して要求する給電継続情報を、前記アクセサリーから受信する手順と、
前記給電継続情報を受信すると、前記所定状態に設定された場合でも、前記アクセサリーへの給電を継続する手順と、
をコンピュータに実行させるためのカメラ制御プログラム。
【発明の詳細な説明】
【技術分野】
【０００１】
本発明は、アクセサリー、カメラ、アクセサリー制御プログラム、及びカメラ制御プログラムに関する。
【背景技術】
【０００２】
カメラは、閃光装置等のアクセサリーとともに使用されることがある（例えば、特許文献１参照）。アクセサリーは、カメラのアクセサリーシュー（シュー座、ホットシュー等ともよばれる）に接続されて、使用される。アクセサリーシューは、アクセサリーを制御する制御信号をアクセサリーへ供給する端子を有する。カメラは、アクセサリーシューの端子を介してアクセサリーに制御信号を送信し、アクセサリーを制御することができる。
【先行技術文献】
【特許文献】
【０００３】
【特許文献１】米国特許出願公開第２０１０／０３２９３０２号明細書
【発明の概要】
【発明が解決しようとする課題】
【０００４】
カメラ及びアクセサリーを備えるカメラシステムにおいては、良好な使い勝手（利便性の高さ）が期待される。カメラシステムは、例えばユーザー操作に応答しなかったり或いは応答が遅かったりすると、そのシステムの使い勝手が悪くなる。本発明は、上記の事情に鑑み成されたものであって、利便性の高いアクセサリー、カメラ、アクセサリー制御プログラム、及びカメラ制御プログラムを提供することを目的とする。
【課題を解決するための手段】
【０００５】
上記目的を達成するため、本発明のアクセサリーは、カメラに着脱可能なアクセサリーであって、前記カメラからの給電に基づいて蓄電部に充電する充電部と、前記カメラが動作可能な起動状態とは異なる所定状態に設定された場合でも前記給電を継続するように前記カメラに対して要求する給電継続情報を前記カメラに対して送信し、前記カメラが前記所定状態に設定された場合に、前記給電継続情報に応じて、前記カメラからの給電を前記蓄電部に充電する充電部の制御を行うアクセサリー制御部と、を備えることを特徴ことを特徴としている。
【０００６】
また、本発明に係るカメラは、上記に記載の前記アクセサリーと着脱可能なカメラであって、装着した前記アクセサリーに対して給電する給電端子部と、カメラを制御するカメラ制御部と、を備え、前記カメラ制御部は、前記カメラが動作可能な起動状態とは異なる所定状態に設定された場合でも前記給電の継続を前記カメラに対して要求する給電継続情報を、前記アクセサリーから受信可能であり、前記給電継続情報を受信すると、前記所定状態に設定された場合でも、前記給電端子部を介した前記アクセサリーへの給電を継続することを特徴としている。
【０００７】
また、本発明に係るアクセサリー制御プログラムは、カメラに着脱可能なアクセサリーに設けられているアクセサリー制御部の動作の制御をコンピュータに実行させるためのアクセサリー制御プログラムであって、前記カメラが動作可能な起動状態とは異なる所定状態に設定された場合でも給電を継続するように前記カメラに対して要求する給電継続情報を、前記カメラに対して送信する手順と、前記カメラが前記所定状態に設定された場合に、前記給電継続情報に応じて、前記カメラからの給電を蓄電部に充電する充電部の制御を行う手順と、をコンピュータに実行させることを特徴としている。
【０００８】
また、本発明に係るカメラ制御プログラムは、上記に記載の前記アクセサリーを着脱可能なカメラに設けられているカメラ制御部の動作の制御をコンピュータに実行させるためのカメラ制御プログラムであって、前記カメラが動作可能な起動状態とは異なる所定状態に設定された場合でも給電の継続を前記カメラに対して要求する給電継続情報を、前記アクセサリーから受信する手順と、前記給電継続情報を受信すると、前記所定状態に設定された場合でも、前記アクセサリーへの給電を継続する手順と、をコンピュータに実行させることを特徴としている。
【発明の効果】
【０００９】
本発明によれば、利便性を向上できるアクセサリー、カメラ、アクセサリー制御プログラム、及びカメラ制御プログラムを提供することができる。
【図面の簡単な説明】
【００１０】
【図１】第１実施形態に係るカメラシステムの外観を示す図である。
【図２】第１実施形態に係るカメラシステムを図１とは反対側から見た図である。
【図３】第１実施形態に係るカメラシステムの機能構成を示すブロック図である。
【図４】第１実施形態に係るアクセサリーの構成、及びアクセサリーとカメラとの接続関係を示す図である。
【図５】第１実施形態に係るカメラシステムにおける処理の手順を示す図である。
【図６】第１実施形態に係る初期通信シーケンスにおける処理の手順を示す図である。
【図７】第１実施形態に係るカメラがアクセサリーに対して行う給電制御処理の手順を示す図である。
【発明を実施するための形態】
【００１１】
本実施形態について説明する。以下の説明において、同様の構成要素については、同じ符号を付してその説明を簡略化あるいは省略することがある。
【００１２】
［第１実施形態］
図１は、本実施形態に係るカメラシステム１の外観を示す図である。図２は、本実施形態に係るカメラシステム１を図１とは反対側から見た図である。
【００１３】
図１及び図２に示すカメラシステム１は、カメラ１０（カメラボディ１００及び撮影レンズ２００）及びアクセサリー４００を備える。本実施形態のアクセサリー４００は、発光機能を有し、被写体を照らすことができる。カメラ１０は、アクセサリー４００と通信して、アクセサリー４００を制御することができる。カメラシステム１は、例えば、アクセサリー４００によって被写体を照らしながら、カメラ１０によって被写体の像を撮像することができる。
【００１４】
図１に示すように、カメラ１０は、カメラボディ１００及び撮影レンズ（交換レンズ）２００を備える。カメラボディ１００は、撮影レンズ２００を取り付け可能なレンズマウント１１を備える。なお、撮影レンズ２００は、カメラボディ１００とマウントするためのレンズ側マウント（不図示）を備えている。撮影レンズ２００はそのレンズ側マウントを介して、レンズマウント１１に対して着脱可能である。カメラボディ１００は、レンズマウント１１が配置されている正面１２に対して側方を向く側面のうち上部に配置された頂面（上面）１３と、正面１２とは反対側に配置された背面１４とを有する。
【００１５】
カメラボディ１００は、それぞれ頂面１３に配置された、レリーズ釦１６、アクセサリーシュー（以下、シュー座１５という）、及び電源スイッチ３１を備える。カメラ１０は、レリーズ釦１６が押下されたことを検出して、撮像処理等の各種処理を行う。シュー座１５は、アクセサリー４００を取り付け可能なように、構成されている。電源スイッチ３１は、カメラボディ１００のオン状態とオフ状態とを切り替えるスイッチである。
【００１６】
本実施形態において、図１等に示すＸＹＺ直交座標系を設定し、構成要素の位置関係等を説明することがある。このＸＹＺ直交座標系において、Ｙ軸方向は、撮影レンズ２００の光軸とほぼ平行な方向である。このＸＹＺ直交座標系において、Ｘ軸方向及びＺ軸方向は、それぞれＹ軸方向と直交し、かつ互いに直交する方向である。正面１２及び背面１４は、それぞれ、Ｙ軸方向とほぼ直交している。頂面１３は、Ｚ軸方向とほぼ直交している。
【００１７】
アクセサリー４００は、アクセサリー本体４１０、コネクター４２０、及び閃光発光部４３０を備える。閃光発光部４３０は、光を射出する射出面を備える。アクセサリー本体４１０は、各種電気部品などを収容している。コネクター４２０は、アクセサリー本体４１０の下方に設けられている。コネクター４２０は、カメラボディ１００のシュー座１５に対して着脱可能である。アクセサリー４００は、コネクター４２０がシュー座１５に装着されることによって、カメラボディ１００に装着されてカメラボディ１００に対して固定される。閃光発光部４３０は、アクセサリー本体４１０に対してコネクター４２０とは反対側（上方）に設けられている。
【００１８】
図２に示すように、カメラボディ１００は、背面１４に配置された表示部１０２と、背面１４に配置された設定スイッチ１０４とを備える。表示部１０２は、液晶表示素子や有機エレクトロルミネッセンス表示素子等の表示素子を備える。表示部１０２は、撮像される画像、各種設定を示す画像、アクセサリー４００の状態を示す画像、撮像条件を示す画像等を表示することができる。設定スイッチ１０４は、カメラ１０とアクセサリー４００の各種設定項目を変更するためのユーザーからの入力を、受け付けることができる。各種設定項目は、ズーム倍率設定、撮影モード設定、ホワイトバランス設定、露光時間設定、表示切り替え設定のうちの少なくとも１つを含む。撮影モード設定は、例えば、オートモード設定又はマニュアルモード設定である。
【００１９】
図２に示すように、アクセサリー４００は、第１操作部４２４、及び第２操作部４７１を備える。第１操作部４２４は、アクセサリー４００をカメラボディ１００から取り外すために、ユーザーによって操作される操作部材である（換言すれば第１操作部４２４は取外し操作部材である）。第２操作部４７１は、アクセサリー４００の機能全体のオン状態とオフ状態とを切り替えるために、ユーザーによって操作される操作部材である（換言すれば第２操作部４７１はＯＮ／ＯＦＦ操作スイッチである）。
アクセサリー４００は、シュー座１５の開口２４にコネクター４２０を挿入して所定の方向（＋Ｙ軸方向）にスライド移動させることによって、シュー座１５に取付けられる（図１参照）。
【００２０】
図３は、本実施形態に係るカメラシステムの機能構成を示すブロック図である。図３に示すように、カメラシステム１は、カメラボディ１００、撮影レンズ２００、及びアクセサリー４００から構成される。
撮影レンズ２００は、光学系２１０、光学系駆動部２２０、及び光学系制御部２３０を含む。被写体から撮影レンズ２００へ入射した光は、光学系２１０を通ってカメラボディ１００の撮像素子１２１の受光面へ入射する。
【００２１】
光学系２１０は、レンズや絞り等の複数の光学部品、及び複数の光学部品を収容するレンズ鏡筒等を備える。光学系２１０は、カメラボディ１００の外部から入射した光を結像させることができる。
【００２２】
光学系駆動部２２０は、光学系２１０を駆動するアクチュエータ、光学系２１０における光学部品の位置を検出するエンコーダ、及び手振れ等による光学系２１０の移動（併進移動と回転移動の少なくとも一方）を検出するセンサーを備える。光学系駆動部２２０のアクチュエータは、例えば、フォーカシング制御用モータ、パワーズーム制御用モータ、絞り開口制御用モータ、手ブレ補正（Ｖｉｂｒａｔｉｏｎ  Ｒｅｄｕｃｔｉｏｎ；ＶＲ）制御用モータ、伸筒・縮筒制御用モータを含む。
【００２３】
光学系駆動部２２０は、光学系制御部２３０からの制御指令に従って光学系駆動部２２０のアクチュエータを動作させることによって、フォーカシング制御、ズーミング制御、露出制御、ＶＲ制御、及び撮影レンズ２００の伸縮制御を行うことができる。フォーカシング制御は、光学系２１０が有するレンズ等の光学部品の少なくとも１つをフォーカシング制御用モータによって光軸方向に移動して、光学系２１０の焦点を調整する制御である。ズーミング制御は、光学系２１０が有するレンズ等の光学部品の少なくとも１つをパワーズーム制御用モータによって光軸方向に移動して、撮像画角を変更する制御である。露出制御は、光学系２１０を構成する絞りを絞り開口制御用モータにより駆動して、絞りの開口サイズを変化させることによって、光学系２１０を通って撮像素子１２１へ入射する光の光量等を調整する制御である。ＶＲ制御は、光学系２１０が有するレンズ等の光学部品の少なくとも１つをＶＲ制御用モータによって光軸と交差する方向に移動して、手ブレによる像揺れを補正する制御である。伸縮制御は、伸筒・縮筒制御用モータを駆動することによって、撮影レンズ２００を光軸方向に伸筒又は縮筒させる制御である。
【００２４】
光学系駆動部２２０は、カメラボディ１００の電池収納部１１０に収納された電池ＢＡＴから電力が供給される。光学系駆動部２２０は、カメラボディ１００のレンズマウント１１に配置された端子を介して、電池ＢＡＴから電力が供給される。光学系駆動部２２０を構成するアクチュエータ、エンコーダ、及びセンサーは、電池ＢＡＴから供給される電力によって動作する。
【００２５】
光学系制御部２３０は、カメラボディ１００のレンズマウント１１に配置された端子を介して、カメラボディ１００のカメラ制御部１７０（後述する）と通信することができる。光学系制御部２３０は、光学系駆動部２２０のエンコーダの検出結果を示す情報及びセンサーの検出結果を示す情報を、カメラ制御部１７０に供給することができる。光学系制御部２３０からカメラ制御部１７０に供給される情報は、撮影レンズ２００の種類を示すレンズ種類情報、レンズ焦点距離情報、露出制御によって設定された絞り値、フォーカシング制御により設定された被写体焦点距離情報、消費電力情報等を含む。消費電力情報は、駆動状態に消費する消費電力を示し、レンズ種類情報や、駆動されている状態に応じて変化する情報である。
【００２６】
アクセサリー４００は、閃光発光部４３０、アクセサリー制御部４４０、及び不揮発性メモリー４４５を含む。アクセサリー制御部４４０、及び不揮発性メモリー４４５は、例えば、図１及び図２に示したアクセサリー本体４１０に収容されている。アクセサリー４００の詳細については、後述する。
【００２７】
カメラボディ１００は、電池収納部１１０、撮像処理部１２０、シャッター駆動部１３０、表示部制御回路１３５、メモリー１４０、メモリー制御回路１４５、入力部１５０、操作検出回路１５５、記憶部１５８、及びカメラ制御部１７０を備える。
【００２８】
電池収納部１１０は、一次電池や二次電池等の電池ＢＡＴを収納することができる。電池ＢＡＴは、電池収納部１１０に収納されることによって、カメラボディ１００に搭載される。電池収納部１１０に収納された電池ＢＡＴは、カメラシステム１の構成要素、例えば表示部１０２や撮影レンズ２００、アクセサリー４００等の動作に必要な電力（ＰＷＲ）を供給することができる。
【００２９】
撮像処理部１２０は、撮像素子１２１、撮像素子制御回路１２２、及び画像回路１２３を備える。撮像素子１２１は、二次元的に配列された複数の画素を備える。撮像素子１２１の各画素は、ＣＣＤ（Ｃｈａｒｇｅ  Ｃｏｕｐｌｅｄ  ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）センサー等の受光素子を備える。撮像素子１２１の受光素子は、光学系２１０から各画素へ入射した光の光量に応じた電荷を発生する。撮像素子１２１は、各画素に入射した光により受光素子に発生した電荷を信号に変換する。撮像素子１２１は、光学系２１０を介して撮像素子１２１の受光面に形成された像（光学像）に応じたアナログの画像信号を生成する。撮像素子１２１は、撮像素子制御回路１２２と画像回路１２３のそれぞれに接続されている。画像回路１２３は、撮像素子１２１から出力された画像信号を増幅し、アナログの画像信号をデジタル信号に変換する。撮像素子制御回路１２２は、撮像素子１２１を制御して、撮像素子１２１に像に応じた画像信号を生成させることや、生成した画像信号を出力させること等ができる。
【００３０】
シャッター駆動部１３０は、カメラボディ１００に収容されているシャッターの開閉を制御する。このシャッターは、光学系２１０を通って撮像素子１２１の受光面へ入射してくる光を、シャッターが閉じた状態で遮光する。なお、カメラボディ１００に露出制御用のシャッター機構が搭載されていない場合には、このシャッター駆動部１３０も不要である。
【００３１】
表示部制御回路１３５は、例えば、表示部１０２の点灯や明るさ調整、消灯等の表示制御や、カメラ制御部１７０から出力される画像データを表示部１０２に表示させる処理を行う。
【００３２】
メモリー１４０は、例えば、メモリーカード等のようにカメラボディ１００から抜き差し可能な記憶媒体である。メモリー１４０は、例えば、カメラ制御部１７０によって生成される画像データ等を記憶する。メモリー制御回路１４５は、カメラ制御部１７０とメモリー１４０との間の情報の入出力を制御する。メモリー制御回路１４５は、例えば、カメラ制御部１７０によって生成された画像データ等の情報をメモリー１４０に記憶させる処理や、メモリー１４０に記憶されている画像データ等の情報を読み出してカメラ制御部１７０に出力する処理等を行う。
【００３３】
入力部１５０は、ユーザーが操作することが可能な設定スイッチ１０４及びレリーズ釦１６を備える。操作検出回路１５５は、入力部１５０に入力されたユーザーの操作を検出する。操作検出回路１５５は、入力部１５０に入力されたユーザーの操作を示す操作情報を生成し、生成した操作情報をカメラ制御部１７０に出力する。
【００３４】
記憶部１５８は、不揮発性メモリー１６０及びバッファメモリー１６５を備える。不揮発性メモリー１６０は、カメラ制御部１７０を動作させるプログラムや、撮像により生成された画像データ、装置の状態を示す情報、カメラシステム１の各負荷部の消費電力を示す情報、ユーザーから入力された各種設定や撮像条件等の情報を記憶する。装置の状態を示す情報は、カメラボディ１００の電池収納部１１０に収納された電池ＢＡＴの電圧情報（電池残量）、撮影レンズ２００の各アクチュエータの制御状態を示す情報等を含む。カメラシステム１の各負荷部の消費電力を示す情報は、シャッター駆動部１３０で消費される（動作に必要な）電力、撮影レンズ２００のアクチュエータで消費される（動作に必要な）電力、アクセサリー４００で消費される(動作に必要な)電力等を含む。バッファメモリー１６５は、カメラ制御部１７０の制御処理に用いられる一時的な情報の記憶部である。カメラ制御部１７０は、例えば、撮像素子１２１から出力される画像信号や、画像信号に応じて生成された画像データ等をバッファメモリー１６５に一時的に記憶させる。
【００３５】
カメラ制御部１７０は、不揮発性メモリー１６０に記憶されたプログラムに基づいてカメラボディ１００の構成要素の動作を制御するＣＰＵ（Ｃｅｎｔｒａｌ  Ｐｒｏｃｅｓｓｉｎｇ  Ｕｎｉｔ）と、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等の電子部品とを備える。カメラ制御部１７０は、例えば、操作検出回路１５５がカメラ制御部１７０に出力した操作情報に応じて、カメラボディ１００への電源の投入や、光学系駆動部２２０を介した光学系２１０の駆動制御、撮像素子制御回路１２２を介した撮像素子１２１の駆動制御、表示部制御回路１３５を介した表示部１０２の表示制御、画像回路１２３に出力された画像信号に対する処理の制御等を行う。
【００３６】
カメラ制御部１７０は、画像処理部１７１、表示制御部１７２、撮像制御部１７３、操作検出処理部１７４、電力制御部１７５、及び通信部１７６を含む。
【００３７】
画像処理部１７１は、画像回路１２３から出力された画像信号に基づいて、画像データを生成する画像処理を行う。画像処理部１７１は、画像処理により生成した画像データをバッファメモリー１６５に記憶させる。
【００３８】
表示制御部１７２は、画像処理部１７１によって生成されバッファメモリー１６５に記憶された画像データを一定時間間隔ごとに読み出し、読み出した画像データを表示部１０２に繰り返し表示させる。また、表示制御部１７２は、画像処理部１７１によって生成されバッファメモリー１６５に記憶された画像データを一定時間間隔ごとに読み出し、動画形式のデータ（動画データ）としてメモリー１４０に記録させる。また、表示制御部１７２は、後述する電力制御部１７５の判定結果に応じて、電池ＢＡＴの充電残量を表示部１０２に表示させる。
【００３９】
操作検出処理部１７４は、操作検出回路１５５が出力した操作情報に基づいて操作検出回路１５５が検出したユーザーの操作を判定し、判定した情報をバッファメモリー１６５に記憶させる。操作検出処理部１７４は、ユーザーからの操作に応じた各種処理の制御指令を、操作に対応する処理を実行する構成要素（機能部）に出力する。操作検出処理部１７４は、例えば撮像処理の実行を要求する旨の入力部１５０への入力を操作検出回路１５５が検出した場合に、操作検出回路１５５が操作検出処理部１７４に出力した操作情報に基づいて、撮像処理の実行を要求する制御指令を撮像制御部１７３に出力する。また、操作検出処理部１７４は、例えばオートフォーカス（ＡＦ）処理の実行を要求する旨の入力部１５０への入力を操作検出回路１５５が検出した場合に、操作検出回路１５５が操作検出処理部１７４に出力した操作情報に基づいて、ＡＦ処理の実行を要求する制御指令を出力する。ＡＦ処理において、光学系制御部２３０は、操作検出処理部１７４が出力した制御指令に基づいて、光学系２１０を介して撮像素子１２１で検出された画像を利用した測距結果を参照しつつ、光学系駆動部２２０のフォーカシング制御用モータを制御して、例えばユーザーが指定した被写体にピントが合うように、光学系２１０の焦点を調整する。
【００４０】
撮像制御部１７３は、操作検出回路１５５が出力した制御指令に基づいて、カメラシステム１の構成要素に撮像処理を実行させるための制御信号を、カメラシステム１の構成要素に出力する。撮像制御部１７３は、撮像処理に関連する処理として、例えば以下のような処理を実行させる。撮像処理において、撮像制御部１７３は、予めユーザーから入力された撮像条件に応じて、光学系制御部２３０を介して光学系２１０のフォーカシング制御、露出制御、ズーミング制御、ＶＲ制御等の制御を行う。また、撮像制御部１７３は、撮像処理において、シャッター駆動部１３０を制御することによって、シャッターが開いている時間（露光時間）を制御し、撮像素子１２１の受光面に光学系２１０からの光を露光時間だけ照射させる。また、撮像制御部１７３は、必要に応じて、アクセサリー４００を制御して、撮影タイミングに同期させてアクセサリー４００から光を照射させる。
【００４１】
電力制御部１７５は、電池ＢＡＴから出力される電源電圧を検出した結果と判定閾値とを比較することにより、電池ＢＡＴにおける電力の残量を判定する。また、電力制御部１７５は、カメラシステム１の各負荷部の消費電力を示す情報を収集し、カメラシステム１の各負荷部の消費電力を監視する。
【００４２】
通信部１７６は、カメラボディ１００の内部の各負荷部を制御する負荷制御部と通信可能に接続される。カメラボディ１００の内部の負荷部は、例えば表示部１０２等であり、負荷制御部は、例えば表示部制御回路１３５等である。また、通信部１７６は、カメラシステム１のうちカメラボディ１００の外部に配置される外部装置に対して、各外部装置の制御部と通信可能な状態で接続される。本実施形態の撮影レンズ２００は、外部装置の１つであり、光学系制御部２３０が通信部１７６と通信可能に接続される。また、本実施形態のアクセサリー４００は、外部装置の１つであり、アクセサリー制御部４４０が通信部１７６と通信可能に接続される。
【００４３】
図４は、本実施形態に係るアクセサリー４００の構成、及びアクセサリー４００とカメラ１０(上述したカメラボディ１００及び撮影レンズ２００)との接続関係を示す図である。
【００４４】
まず、カメラ１０について説明する。カメラ１０は、負荷部３０、電源スイッチ３１、電源部３２、及びアクセサリー電源制御部３３を備える。
【００４５】
負荷部３０は、既述のシャッター駆動部１３０や表示部１０２等のようにカメラボディ１００の負荷部と、光学系駆動部２２０や光学系制御部２３０等のようにカメラボディ１００の外部の負荷部とを含む。負荷部３０は、消費電力が大きい重負荷部と、重負荷部よりも相対的に消費電力が小さい軽負荷部とを含む。重負荷部は、例えば光学系駆動部２２０やカメラボディ１００におけるシャッター駆動部１３０等のように、アクチュエータを有する負荷部を含む。軽負荷部は、光学系制御部２３０や画像処理部１７１、各制御回路、表示部等を含む。
【００４６】
電源スイッチ３１は、電池ＢＡＴから負荷部３０の重負荷部への電力の供給を遮断するスイッチである。
【００４７】
電源部３２は、電池ＢＡＴから供給される電力に基づいて、電池ＢＡＴの出力電圧を安定化して負荷部３０の軽負荷部及びカメラ制御部１７０に供給する。電源部３２は、電池ＢＡＴの出力電圧を検出する電圧検出センサーと、電池ＢＡＴの出力電圧を安定化する定電圧回路とを備える。
【００４８】
アクセサリー電源制御部３３は、カメラ制御部１７０の制御に基づき、アクセサリー４００への電力の供給を制御する。
【００４９】
カメラボディ１００の端子部２５（給電端子部）は、アクセサリー４００の端子部４２３と電気的に接続可能である。端子部２５は、符号Ｔｐ１から符号Ｔｐ１２で示される複数の端子を含む（図４参照）。本実施形態の説明において、シュー座１５の端子部２５の各端子を、端子の並び順を示す番号を付して、区別する場合がある。この番号は、端子の配列方向（Ｘ軸方向）の一方側（＋Ｘ側）から他方側（−Ｘ）側に向って昇順する番号である。例えば、端子部２５の複数の端子のうち、最も＋Ｘ側に配置された端子を１番目の端子と呼び、最も−Ｘ側に配置された端子を１２番目の端子と呼ぶ。
【００５０】
カメラ制御部１７０は、端子部２５及び端子部４２３を介して、アクセサリー４００と通信してアクセサリー４００を制御するための制御信号を、アクセサリー４００に供給する。本実施形態において、カメラ制御部１７０がアクセサリー４００に供給する制御信号は、アクセサリー４００における発光部４２５の発光を制御する発光制御信号Ｘ、通信信号ＤＡＴＡ、及びカメラ１０とアクセサリー４００との間の通信タイミングを定める通信制御信号Ｃｓである。
【００５１】
カメラ制御部１７０は、図３に示した不揮発性メモリー１６０とバッファメモリー１６５の少なくとも一方に記憶されている情報を読み出して、読み出した情報をアクセサリー制御部４４０へ送信する。カメラ制御部１７０は、アクセサリー制御部４４０から受信した情報を不揮発性メモリー１６０とバッファメモリー１６５の少なくとも一方に記憶させる。
【００５２】
次に、図４を参照してカメラ１０における各構成要素の接続関係について説明する。以下の説明における電池ＢＡＴは、電池収納部１１０に収納された状態とする。電池ＢＡＴの正極は、電源線４０（ＰＷＲ）を介して、電源スイッチ３１の一端に接続されている。電源スイッチ３１の他端は、負荷部３０の重負荷部の電源端子に接続されている。負荷部３０の重負荷部の接地端子は、接地線４１（ＰＧＮＤ）を介して、電池収納部１１０に収納された電池ＢＡＴの負極に接続されている。
【００５３】
また、電池ＢＡＴの正極は、電源線４０を介して、電源部３２の入力端子に接続されている。電源部３２の第１出力端子は、負荷部３０の軽負荷部の電源端子に接続されている。負荷部３０の軽負荷部の接地端子は、接地線４２（ＳＧＮＤ）を介して、電池ＢＡＴの負極に接続されている。また、電源部３２の第２出力端子は、カメラ制御部１７０の電源端子に接続されている。第２出力端子の電位は、第１出力端子の電位と異なっている。カメラ制御部１７０の接地端子は、接地線４２（ＳＧＮＤ）を介して、電池ＢＡＴの負極に接続されている。
【００５４】
接地端子Ｔｐ１は、接地線４３（ＧＮＤ）を介して、電池ＢＡＴの負極に接続されている。接地端子Ｔｐ２は、接地端子Ｔｐ１とは並列に、接地線４３を介して電池ＢＡＴの負極に接続されている。基準電位端子Ｔｐ５は、接地線４２を介して、電池ＢＡＴの負極に接続されている。基準電位端子Ｔｐ５は、基準電位端子Ｔｐ５とは並列に、接地線４２を介して電池ＢＡＴの負極に接続されている。なお、本実施形態のカメラ１０のグランドは、いわゆる一点グランド（一点アース）を採用している。
【００５５】
同期信号端子Ｔｐ４、通信信号端子Ｔｐ６、起動状態検出端子Ｔｐ７、発光制御信号端子Ｔｐ８、及び通信制御信号端子Ｔｐ９は、それぞれ、信号線を介してカメラ制御部１７０に接続されている。オープン端子Ｔｐ１０は、カメラ制御部１７０、電源線４０、接地線４１、接地線４２、及び接地線４３等の他の回路と絶縁されている。
通信信号端子Ｔｐ６に接続しているラインにはプルアップ抵抗が設けられている。このプルアップ抵抗は電源部３２の出力側に電気的に接続されている。このため通信信号端子Ｔｐ６における電位（レベル）は、アクセサリー４００の装着前及びアクセサリー４００との通信開始前にＨレベルに維持される。なお、起動状態検出端子Ｔｐ７に接続しているラインにも、上記通信信号端子Ｔｐ６と同様に、プルアップ抵抗が設けられている。
【００５６】
電源端子Ｔｐ１１は、アクセサリー電源制御部３３の第１端子に接続されている。電源端子Ｔｐ１２は、電源端子Ｔｐ１１と並列に、アクセサリー電源制御部３３の第１端子に接続されている。アクセサリー電源制御部３３の第２端子は、電源線４０を介して、電池ＢＡＴの正極に接続されている。アクセサリー電源制御部３３は、その制御端子にカメラ制御部１７０から入力される制御信号によって、電池ＢＡＴから電源端子Ｔｐ１１と電源端子Ｔｐ１２への電力供給を遮断することができる。
【００５７】
次に、図４を参照して、アクセサリー４００側の構成について説明する。本実施形態のアクセサリー４００は、カメラ１０から供給される電力ＰＷＲによって動作する。アクセサリー４００は、アクセサリー４００において消費される電力を供給する電源がアクセサリー４００側に搭載されていない場合に、カメラ１０から供給される電力ＰＷＲによってアクセサリー４００の各構成要素を機能させることができる。
【００５８】
アクセサリー４００は、閃光発光部４３０、アクセサリー制御部４４０、記憶部４４４、第１電源部（電源部１）４５０−１、第２電源部（電源部２）４５０−２、第１スイッチ部４６５、及び第２スイッチ部４７０を備える。本アクセサリー４００は、電池を内蔵していない。
【００５９】
閃光発光部４３０は、閃光光源４３１及び充電部４３２を備える。なお、本実施形態において、閃光発光部４３０が発する光を閃光と称し、閃光発光部４３０が閃光を発する機能を閃光発光機能と称すことがある。
【００６０】
充電部４３２は、カメラボディ１００から供給された電圧を昇圧する昇圧回路部（昇圧部とも称す）と、その昇圧回路部で昇圧された電圧に基づいて閃光光源４３１を発光させるのに必要な電力を蓄積可能な蓄積回路部（蓄電部／蓄積部／コンデンサ／又はキャパシタ）とを備える。充電部４３２は、蓄積部（蓄積回路部）に蓄積された電力を閃光光源４３１に供給することによって、閃光光源４３１を発光させる。
【００６１】
充電部４３２は、アクセサリー制御部４４０から供給される信号に従って、充電部４３２の蓄積部への充電を開始又は停止する。充電部４３２は、蓄積部を充電する充電処理中に蓄積部の電極間の電圧（充電電圧）を検出することによって、蓄積部が蓄積している蓄電量（電荷量）を検出することができる。充電部４３２は、検出した蓄積部の蓄電量を示す情報をアクセサリー制御部４４０に供給する。
【００６２】
なお、充電部４３２は、周知の発光制御回路（例えば周知のＩＧＢＴのように発光の開始・停止を制御する回路）を備えており、アクセサリー制御部４４０から入力された信号に従って、閃光光源４３１を撮影タイミングに同期させて発光させること、及び閃光光源４３１の発光量を制御することができる。
【００６３】
なお、不図示ではあるが、アクセサリー４００は、閃光発光部４３０の電源線４８１に対する電気的な導通状態（ＯＮ／ＯＦＦ）を切り替える導通スイッチを備えている。これら導通スイッチは、アクセサリー制御部４４０によって制御される。よって、カメラシステム１が発光部４２５を機能させて撮像を行う場合において、アクセサリー４００は、アクセサリー制御部４４０の導通スイッチ及び閃光発光部４３０への制御によって、閃光発光部４３０から光を発することができる。
【００６４】
本実施形態において、第１スイッチ部４６５（ＭＳＷ）は、コネクター４２０の係止爪（不図示）に機械的に連動している。第１スイッチ部４６５は、係止爪が所定の方向（Ｚ軸方向）に移動することによって、回路を閉路又は遮断する。第１スイッチ部４６５は、係止爪の先端がコネクター４２０の底部から予め設定される所定の距離以上に突出している場合に、回路を閉路する。すなわち、第１スイッチ部４６５は、アクセサリー４００がカメラ１０への装着が完了された場合に、回路を閉路する。その一方で第１スイッチ部４６５は、係止爪４２２がコネクター４２０の底部に向って、予め設定される所定の移動量以上押込まれた場合に、回路を遮断する。
【００６５】
本実施形態において、第２スイッチ部４７０（ＰＣＳＷ）は、既述した第２操作部４７１（図２参照）に機械的に連動している。第２スイッチ部４７０は、第２操作部４７１が操作されることによって、回路を閉路又は遮断する。
【００６６】
第１電源部（電源部１）４５０−１は、カメラ１０から供給された電力の電圧を安定化（定電圧制御）する定電圧回路を備える。第１電源部４５０−１は、定電圧回路によって電圧が安定化された電力を、第２電源部（電源部２）４５０−２へ供給することができる。第１電源部４５０−１は、基準電位線４８０（ＳＧＮＤ）に接続されている。第２電源部４５０−２は、第１電源部４５０−１から供給された電力から、アクセサリー制御部４４０用の電力を生成する。第２電源部４５０−２も、基準電位線４８０（ＳＧＮＤ）に接続されている。
【００６７】
記憶部４４４は、不揮発性メモリー４４５を備える。不揮発性メモリー４４５は、アクセサリー４００に電力が供給されない状態でも情報を保持しておくことができる。不揮発性メモリー４４５は、記憶しているデータを書き換え可能なメモリーと、記憶しているデータを書き換え不能なメモリー（例えばＲＯＭ）の少なくとも一方を含む。不揮発性メモリー４４５は、アクセサリー制御部４４０を動作させるプログラムや、アクセサリー４００の状態（初期状態及び、アクセサリー制御部４４０内のメモリーに現在設定されている様々なアクセサリーの設定状態）を示す情報、カメラ１０から取得したカメラの状態（初期状態及び設定状態）を示す情報等の情報を記憶する。
【００６８】
アクセサリー制御部４４０は、不揮発性メモリー４４５に記憶されたプログラムに基づいてアクセサリー４００の構成要素の動作を制御するＣＰＵと、ＡＳＩＣ等の電子部品とを備える。アクセサリー制御部４４０は、端子部４２３及び端子部２５を介して、カメラ制御部１７０と通信する。アクセサリー制御部４４０は、記憶部４４４に記憶されているアクセサリー初期状態情報又はアクセサリー設定状態情報に含まれる各種の情報のうちの少なくとも１つの情報を、カメラ制御部１７０へ送ることができる。また、アクセサリー制御部４４０は、カメラ制御部１７０から受信した情報を、記憶部４４４に記憶させる。
【００６９】
アクセサリー初期状態情報は、アクセサリー４００の種類を示すアクセサリー種類情報を含む。アクセサリー種類情報は、アクセサリー４００に電池が搭載されているか否かを示す電池有無情報、アクセサリー４００が有する各機能の種類を示す機能種類情報、及びアクセサリー４００が有する各機能の特性を示す特性情報を含む。機能種類情報は、閃光発光機能の有無を示す情報、及び拡張機能の有無を示す情報を含む。拡張機能は、閃光発光機能に該当しない他の機能であり、例えば調光機能、ＧＰＳ（Ｇｌｏｂａｌ  Ｐｏｓｉｔｉｏｎｉｎｇ  Ｓｙｓｔｅｍ）機能、カメラボディ１００以外の装置との通信機能等である。また、拡張機能には、アクセサリー４００が充電電池を有している場合等も含む。
【００７０】
アクセサリー設定状態情報は、閃光発光機能がオン状態（有効）とオフ状態（無効）のいずれの状態であるかを示す情報を含む。
【００７１】
アクセサリー制御部４４０は、カメラ制御部１７０から供給された制御信号に基づいて、アクセサリー４００の構成要素を制御する。アクセサリー制御部４４０は、カメラ制御部１７０から供給された発光制御信号Ｘに従って、閃光発光部４３０を発光させる発光制御を行う。閃光発光部４３０を発光させる発光制御において、アクセサリー制御部４４０は、閃光光源４３１がカメラ側の撮影タイミングと同期して発光するように、充電部４３２を制御する。
【００７２】
次に、アクセサリー４００の端子部４２３について説明する。図４に示したように、端子部４２３は、アクセサリー４００がカメラ１０に装着されている場合に、カメラ１０の端子部２５と電気的に接続される。端子部４２３は、符号Ｔｓ１から符号Ｔｓ１２で示される複数（１２個）の端子を含む。ここでは、次に説明する端子の並び順を示す番号は、端子の配列方向（Ｘ軸方向）の一方側（＋Ｘ側）から他方側（−Ｘ）側に向って昇順する番号であるものとする。
【００７３】
端子部４２３における各端子の機能は、次のように割り付けられる。ここで、この端子部４２３の各端子Ｔｓ１〜Ｔｓ１２は、図４にて既述したカメラ側の端子部２５の各端子（Ｔｐ１〜Ｔｐ１２）に対応して設けられているものである。そして端子部４２３の各端子の機能についても、上述した端子部２５の各端子の機能と対応付けられるものである。このため本実施形態の説明では、上記にて端子部２５に関して既述した説明との重複を避けるため、各端子の端子番号１〜１２について、カメラ１０側の端子部２５の各端子と対応する端子の端子番号を同じ番号で記載することで、各端子の機能や配置について重複する内容については、その説明を簡略化または割愛する。
【００７４】
端子部４２３において、電源端子Ｔｓ１１と電源端子Ｔｓ１２はそれぞれ、カメラ１０から電力ＰＷＲが供給される端子である。接地端子Ｔｓ１と接地端子Ｔｓ２は、電源端子Ｔｓ１１及び電源端子Ｔｓ１２に対応する接地端子であり、電位が電力ＰＷＲの基準電位（グランド）になる端子である。
【００７５】
基準電位端子Ｔｓ３と基準電位端子Ｔｓ５はそれぞれ、電位が信号の授受を行うための基準電位（シグナルグランド）になる端子である。
【００７６】
同期信号端子Ｔｓ４は、通信用クロック信号である同期信号（クロック信号）ＣＬＫをカメラ１０に対して出力する端子である。
【００７７】
通信信号端子Ｔｓ６は、既述したようなカメラ側の通信データを含む通信信号ＤＡＴＡがカメラ１０側から入力されたり、或いはアクセサリー側の通信信号ＤＡＴＡをカメラ１０に対して出力したりする端子である。
【００７８】
起動状態提供端子Ｔｓ７は、既述の起動検出レベルＤＥＴ（Ｌレベル／ＳＧＮＤによる基準電位）をカメラ１０に提供する端子である。
【００７９】
発光制御信号端子Ｔｓ８は、既述の発光制御信号（発光指令信号）Ｘがカメラ１０から入力される端子である。
【００８０】
通信制御信号端子Ｔｓ９は、既述の通信制御信号（通信起動信号）Ｃｓがカメラ１０から入力される端子である。
【００８１】
また、電源端子Ｔｓ１１と通信制御信号端子Ｔｓ９との間には、オープン端子Ｔｓ１０が配置されている。
【００８２】
次に、図４を参照して、アクセサリー４００における各構成要素の接続関係について説明する。
【００８３】
接地端子Ｔｓ１と接地端子Ｔｓ２は、図４に示す接続パターンを介して接続されている。これら接地端子Ｔｓ１と接地端子Ｔｓ２は、アクセサリー４００がカメラ１０に接続されると、カメラ１０側の端子Ｔｐ１，Ｔｐ２を介して、カメラ１０側の接地線４３に接続される。この接地端子Ｔｓ１及び接地端子Ｔｓ２は、アクセサリー４００側の、電力ＰＷＲを利用する回路（充電部４３２）用の接地端子であり、アクセサリー４００側において、供給される電圧の基準電位となる端子であり、また充電電圧の基準電位となる端子である。
【００８４】
電源端子Ｔｓ１１は、電源線４８１に接続されている。電源端子Ｔｓ１２は、電源端子Ｔｓ１１と並列に、電源線４８１に接続されている。この電源線４８１は、２つの電源端子（電源端子Ｔｓ１１及びＴｓ１２）を介してカメラ１０から供給された大電流を流せるよう、回路基板上において比較的太い配線パターン（Ｔｓ１１に直接接続している配線パターンの線幅と、Ｔｓ１２に直接接続している配線パターンの線幅とを足し合わせた線幅以上の線幅を持つ配線パターン）にする。なお、カメラ１０側のアクセサリー電源制御部３３に接続している配線パターンも、アクセサリー４００側と同様に、比較的太い配線パターンにする。
【００８５】
基準電位端子Ｔｓ３と基準電位端子Ｔｓ５は、図７に示すように接続用ラインを介して接続されている。そしてこれら基準電位端子Ｔｓ３と基準電位端子Ｔｓ５は、基準電位線４８０（ＳＧＮＤ）に並列に接続されている。この基準電位線４８０は、アクセサリー４００がカメラ１０に接続されると、基準電位端子Ｔｓ３及びＴｓ５と、カメラ１０側の端子Ｔｐ３及びＴｐ５とを介して、カメラ１０側の基準電位線（ＳＧＮＤ）４２に接続される。この基準電位端子Ｔｓ３、基準電位端子Ｔｓ５は、アクセサリー４００内の各回路（ＭＳＷ４６５、ＰＣＳＷ４７０、不揮発性メモリー４４５、第１電源部４５０−１、第２電源部４５０−２、アクセサリー制御部４４０、照明光発光部４３５）において、信号の授受を行うための基準電位となる端子である。
【００８６】
なお、この基準電位線４８０（ＳＧＮＤ）に対しては、接地端子Ｔｓ１と接地端子Ｔｓ２も、接続ライン４９０を介して並列に接続されている。ただし接地端子Ｔｓ１と接地端子Ｔｓ２に接続している接続ライン（接続ライン４９０と接続しているライン）は、接続ライン４９０及び基準電位端子Ｔｓ３，Ｔｓ５に接続しているラインよりも抵抗（インピーダンス）が低いラインになっている。このため充電部４３２を流れた大電流はＳＧＮＤライン（基準電位端子Ｔｓ３，Ｔｓ５）には流れないようになっている。
【００８７】
なお、基準電位線４８０を流れる電流は、接続ライン４９０を介して接地端子Ｔｓ１，Ｔｓ２に流れるようになっており、接地端子Ｔｓ１，Ｔｓ２はアクセサリー４００内の上記各回路に供給される電圧の基準となり得る。また、本実施形態のアクセサリー４００のグランドは、いわゆる一点グランド（一点アース）を採用している。
【００８８】
起動状態提供端子Ｔｓ７は、信号線を介して、第１スイッチ部４６５におけるスイッチ４６６（図９（Ｂ）に示す）の第１端子に接続されている。第１スイッチ部４６５におけるスイッチ４６６の第２端子は、第２スイッチ部４７０におけるスイッチ４７２（図９（Ｂ）に示す）第１端子に接続されている。第２スイッチ部４７０におけるスイッチ４７２の第２端子は、基準電位線４８０に接続されている。このように、第２スイッチ部４７０は、起動状態提供端子Ｔｓ７に接続された信号線に対して、第１スイッチ部４６５と直列に接続されている。
【００８９】
同期信号端子Ｔｓ４は、信号線を介して、アクセサリー制御部４４０に接続されている。通信信号端子Ｔｓ６は、信号線を介して、アクセサリー制御部４４０に接続されている。通信信号端子Ｔｓ６に接続している信号線にはプルアップ抵抗が設けられている。このプルアップ抵抗は電源部４５０の出力側に電気的に接続されている。このため通信信号端子Ｔｓ６における電位（レベル）は、カメラ１０への装着前及びカメラ１０との通信開始前にＨレベルに維持される。
【００９０】
通信制御信号端子Ｔｓ９は、信号線を介して、アクセサリー制御部４４０に接続されている。通信制御信号端子Ｔｓ９に接続している信号線にはプルアップ抵抗が設けられている。このプルアップ抵抗は電源部４５０の出力側に電気的に接続されている。よって通信信号端子Ｔｓ６における電位（レベル）は、カメラ１０への装着前及びカメラ１０との通信開始前にＨレベルに維持される。
【００９１】
発光制御信号端子Ｔｓ８は、信号線を介して、アクセサリー制御部４４０に接続されている。発光制御信号端子Ｔｓ８に接続している信号線にはプルアップ抵抗が設けられている。このプルアップ抵抗は電源部４５０の出力側に電気的に接続されている。よって通信信号端子Ｔｓ６における電位（レベル）は、カメラ１０への装着前及びカメラ１０との通信開始前にＨレベルに維持される。
【００９２】
オープン端子Ｔｓ１０は、電源系統と信号系統のいずれにも接続されていない所謂オープン端子である。オープン端子Ｔｓ１０は、アクセサリー制御部４４０、電源線４８１、及び基準電位線４８０等の回路と絶縁されている。
【００９３】
閃光発光部４３０の閃光光源４３１における主放電用の第１の電極は充電部４３２に接続されている。主放電用の第２の電極は電源線４８１に接続されている。充電部４３２の電源端子は、電源線４８１に接続されている。充電部４３２の接地端子は、接地端子Ｔｓ１に接続する接地線に接続されている。
【００９４】
照明光光源駆動部４３６の電源端子は、第１電源部４５０−１に接続されている。照明光光源駆動部４３６の接地端子は、基準電位線４８０に接続されている。照明光光源駆動部４３６の制御端子は、信号線を介して、アクセサリー制御部４４０に接続されている。
照明光光源４３７は、固体光源のアノードが照明光光源駆動部４３６に接続され、固体光源のカソードが、基準電位線４８０に接続されている。
【００９５】
第１電源部（電源部１）４５０−１の入力端子は、電源線４８１に接続されている。第１電源部４５０−１の接地端子は、基準電位線４８０に接続されている。第１電源部４５０−１の出力端子は、第２電源部（電源部２）４５０−２の入力端子と、照明光光源駆動部４３６とに接続されている。第２電源部４５０−２の出力端子は、アクセサリー制御部４４０の電源端子に接続されている。第２電源部４５０−２の接地端子は、基準電位線４８０に接続されている。
【００９６】
次に、カメラ１０とアクセサリー４００との接続関係について説明する。アクセサリー４００がカメラ１０に装着されている状態（以下、装着状態という）において、接地端子Ｔｓ１は、カメラ１０の接地端子Ｔｐ１に接続される。接地端子Ｔｓ２は、装着状態において、カメラ１０の接地端子Ｔｐ２に接続される。そしてこれらアクセサリー４００側の接地端子Ｔｓ１，Ｔｓ２に接続している箇所（充電部４３２の接地端子）は、装着状態において、接地端子Ｔｐ１及び接地端子Ｔｓ１を介した経路と、接地端子Ｔｐ２及び接地端子Ｔｓ２を介した経路との少なくとも一方の経路を介して、接地線４３に接続されて電池ＢＡＴの負極に接続される。そのため、接地端子Ｔｓ１、Ｔｓ２及びそれらに接続している箇所の電位は、装着状態において、電池ＢＡＴの負極の電位に応じた基準電位になる。
【００９７】
電源端子Ｔｓ１１は、装着状態において、カメラ１０の電源端子Ｔｐ１１に接続される。電源端子Ｔｓ１２は、装着状態において、カメラ１０の電源端子Ｔｐ１２に接続される。アクセサリー電源制御部３３は、装着状態において、電源端子Ｔｐ１１及び電源端子Ｔｓ１１を介した経路と、電源端子Ｔｐ１２及び電源端子Ｔｓ１２を介した経路との少なくとも一方の経路を介して、電源線４８１に接続される。そのため、アクセサリー電源制御部３３は、カメラ制御部１７０の制御に従って、電池ＢＡＴからアクセサリー電源制御部３３に供給された電力ＰＷＲを、電源線４８１を介してアクセサリー４００内の各回路や電気部品に供給することができる。
【００９８】
基準電位端子Ｔｓ３は、装着状態において、カメラ１０の基準電位端子Ｔｐ３に接続される。基準電位端子Ｔｓ５は、装着状態において、カメラ１０の基準電位端子Ｔｐ５に接続される。基準電位端子Ｔｓ３の電位は、装着状態において、基準電位端子Ｔｐ３の電位（基準電位）になる。基準電位端子Ｔｓ５の電位は、装着状態において、基準電位端子Ｔｐ５の電位（基準電位）になる。
【００９９】
起動状態提供端子Ｔｓ７は、アクセサリー４００がカメラ１０に装着された状態であって、かつ第２スイッチ部４７０が回路を閉路している状態（オン状態）において、基準電位線４８０を介して、接地線４２に接続される。そのため、カメラ制御部１７０は、第２スイッチ部４７０がオン状態で且つカメラ１０に接続されている状態（以下、第１状態と称す）であるときに、第１状態であることを示す起動検出レベルＤＥＴ（ＳＧＮＤレベル／基準電位レベル／Ｌｏｗレベル／Ｌレベル）を、起動状態提供端子Ｔｓ７及び起動状態検出端子Ｔｐ７を介して検出することができる。また、カメラ制御部１７０は、下記の第２状態であるときに、第１状態とは電気的にレベルが異なる起動検出レベルＤＥＴを検出することができる。第２状態は、第２スイッチ部４７０がオフ状態で且つカメラ１０に装着されている状態と、アクセサリー４００がカメラ１０に装着されていない状態とのいずれかの状態を含む。
【０１００】
同期信号端子Ｔｓ４は、装着状態において、カメラ１０の同期信号端子Ｔｐ４に接続される。すなわち、アクセサリー制御部４４０は、装着状態において、同期信号端子Ｔｐ４及び同期信号端子Ｔｓ４を介して、カメラ制御部１７０に接続される。これにより、アクセサリー制御部４４０は、カメラ制御部１７０と同期通信を行うための同期信号ＣＬＫを、同期信号端子Ｔｓ４及び同期信号端子Ｔｐ４を介して、カメラ制御部１７０へ送信することができる。また、カメラ制御部１７０は、アクセサリー４００に下記のモニタ発光を実行させるモニタ発光制御信号を、同期信号端子Ｔｓ４及び同期信号端子Ｔｐ４を介して、アクセサリー制御部４４０へ送信することができる。
【０１０１】
なお、モニタ発光は、本撮像に用いる本発光よりも前に行われる発光である。モニタ発光による撮像（モニタ撮像）の結果は、オートホワイトバランス（ＡＷＢ）制御等のようなホワイトバランスの調整と、オート露光（ＡＥ（Ａｕｔｏｍａｔｉｃ  Ｅｘｐｏｓｕｒｅ；自動露出））制御等のような露光制御の少なくとも一方に用いられる。
【０１０２】
通信信号端子Ｔｓ６は、装着状態において、カメラ１０の通信信号端子Ｔｐ６に接続される。すなわち、アクセサリー制御部４４０は、装着状態において、通信信号端子Ｔｐ６及び通信信号端子Ｔｓ６を介して、カメラ制御部１７０に接続される。そのため、カメラ制御部１７０とアクセサリー制御部４４０は、装着状態において、通信信号端子Ｔｐ６及び通信信号端子Ｔｓ６を介して、シリアルデータ通信を行うことができる。この通信信号端子Ｔｐ６及びＴｓ６はいずれも入力／出力機能を切り替え可能であり、これら両端子間における通信は、通信方向を切り替え可能な双方向通信である。通信信号ＤＡＴＡとして通信されるデータは次のようなものがある。カメラ１０側から出力されるデータとしては、カメラ制御部１７０がアクセサリー４００に処理を実行させる指令（コマンド）や、カメラ１０に関する情報（カメラデータ）などである。一方、アクセサリー４００側から出力されるデータとしては、アクセサリー４００に関する情報（アクセサリー情報）などである。本実施形態において、指令あるいは情報を示すデータを送信（又は受信）することを、単に指令あるいは情報を送信（又は受信）するということがある。なお、通信信号ＤＡＴＡは、カメラ制御部１７０が送信する場合とアクセサリー制御部４４０が送信する場合のいずれにおいても、アクセサリー４００側から出力される同期信号ＣＬＫに同期させて送信される。
【０１０３】
例えば、カメラ制御部１７０は、指定した項目の情報をカメラ制御部１７０からアクセサリー制御部４４０へ送信することを通知する送信通知コマンド（指令）を、アクセサリー制御部４４０に送信する。カメラ制御部１７０は、送信通知コマンドの送信終了後に、所定の時間間隔をあけて送信通知コマンドの送信に続いて、送信通知コマンドに指定された項目の情報をアクセサリー制御部４４０へ送信する。
【０１０４】
また、例えば、カメラ制御部１７０は、指定した情報をアクセサリー制御部４４０からカメラ制御部１７０へ送信することを要求する送信要求コマンドを、アクセサリー制御部４４０へ送信することができる。アクセサリー制御部４４０は、送信要求コマンドの受信完了後に、送信通知コマンドの受信に続いて、送信通知コマンドに指定された項目の情報をカメラ制御部１７０へ送信する。
【０１０５】
通信制御信号端子Ｔｓ９は、装着状態において、カメラ１０の通信制御信号端子Ｔｐ９に接続される。すなわち、アクセサリー制御部４４０は、装着状態において、通信制御信号端子Ｔｐ９及び通信制御信号端子Ｔｓ９を介して、カメラ制御部１７０に接続される。そのため、カメラ制御部１７０は、通信制御信号端子Ｔｐ９及び通信制御信号端子Ｔｓ９を介して、アクセサリー制御部４４０へ通信制御信号Ｃｓを供給することができる。
【０１０６】
なお、アクセサリー４００側から上述の「充電要求」などの情報をカメラ１０側に送信したい場合には、アクセサリー制御部４４０は、上記の通信制御信号端子Ｔｓ９でカメラ１０側から受信した通信制御信号Ｃｓをきっかけとして開始される定常通信シーケンス（後述）において、カメラ制御部１７０に情報を送信する。
【０１０７】
この通信制御信号Ｃｓは、通信信号端子Ｔｓ６を介したカメラ１０とアクセサリー４００との間の通信の通信開始タイミングを定める信号である。アクセサリー４００側において、通信制御信号端子Ｔｓ９に接続している配線パターンにはプルアップ抵抗が接続されている。このため通信信号端子Ｔｓ６における通信制御信号Ｃｓの信号レベルは、通信開始前にＨレベルに維持される。通信制御信号Ｃｓの信号レベルは、通信信号端子Ｔｓ６を介したデータ通信を開始する際に、カメラ制御部１７０によってＬレベルに立ち下げられて維持される。通信制御信号Ｃｓの信号レベルがＬレベルに維持されている期間に、通信信号ＤＡＴＡとして複数ビットのデータが同期信号ＣＬＫに同期して送受信される。複数ビットのデータが送受信された後に、通信制御信号Ｃｓの信号レベルは、次回の通信信号ＤＡＴＡの送信までの期間において、再び上述のプルアップ抵抗によってＨレベルに維持される。このように、通信制御信号Ｃｓは、通信信号ＤＡＴＡ及び同期信号ＣＬＫと比較して、信号レベル（ＨレベルとＬレベルの）の単位時間あたりの切替わり回数が少ない信号である。
【０１０８】
発光制御信号端子Ｔｓ８は、装着状態において、カメラ１０の発光制御信号端子Ｔｐ８に接続される。すなわち、アクセサリー制御部４４０は、装着状態において、発光制御信号端子Ｔｐ８及び発光制御信号端子Ｔｓ８を介して、カメラ制御部１７０に接続される。そのため、カメラ制御部１７０は、撮影タイミングと同期してアクセサリー４００に発光（本発光）を実行させる発光制御信号Ｘを、発光制御信号端子Ｔｓ８及び発光制御信号端子Ｔｐ８を介して、アクセサリー制御部４４０へ供給することができる。アクセサリー制御部４４０は、発光制御信号Ｘに従って、発光制御を行う。
【０１０９】
次に、カメラシステムにおける処理の手順について、説明する。以下の説明において、同様の処理については、同じ符号を付してその説明を簡略化あるいは省略することがある。
【０１１０】
図５は、本実施形態に係るカメラシステムにおける処理の手順を示すフローチャートである。カメラシステム１は、アクセサリー４００を起動するための一連の処理（起動シーケンス）を行う。
（ステップＳ１、Ｓ２）カメラシステム１は、起動シーケンス（ステップＳ１）において、カメラ１０とアクセサリー４００との間で通信ができるように準備する一連の処理（通信準備シーケンス）を行う。
【０１１１】
（ステップＳ３）カメラシステム１は、起動シーケンスにおいて通信準備シーケンスの終了後に、撮像に必要な情報をカメラ制御部１７０とアクセサリー制御部４４０との間で相互に通信する一連の処理（初期通信シーケンス）を行う。なお、カメラシステム１は、通信準備シーケンスにおいて、カメラ１０にアクセサリー４００がオン状態で装着されているか否かを検出する。カメラシステム１は、カメラ１０にアクセサリー４００がオン状態で装着されている場合、アクセサリー４００に電力の供給を開始し、また、カメラ１０は、アクセサリー４００に通信を許可する。
なお、カメラシステム１は、ステップＳ２の起動シーケンスに行う以外に、例えば、カメラ１０がスリープ状態から復帰後、初期通信シーケンスを行う。また、カメラシステム１は、アクセサリー４００の状態が所定状態から変化した場合等に、アクセサリー４００からカメラ１０に初期通信シーケンスを行う依頼を行った後、初期通信シーケンスを行う。アクセサリー４００の状態が所定状態から変化した場合とは、充電部４３２の蓄電量が予め定められている値より下がった場合等である。
【０１１２】
（ステップＳ４）カメラシステム１は、初期通信シーケンスの終了後に、設定変更等で変化した情報を更新できるように、カメラ制御部１７０とアクセサリー制御部４４０との間で相互に通信する一連の処理（定常通信シーケンス）を行う。
【０１１３】
（ステップＳ５）カメラ制御部１７０は、定常通信シーケンスの終了後に、割込要求が有るか否かを判定する判定処理を行う。カメラシステム１は、割込要求が無いとステップＳ５で判定した場合（ステップＳ５；Ｎｏ）、ステップＳ４に戻り、定常通信シーケンスの処理を再度行う。
（ステップＳ６）カメラシステム１は、割込要求が有るとステップＳ５で判定した場合（ステップＳ５；Ｙｅｓ）、割込処理を行う。割込処理は、例えば、撮影シーケンスに含まれる一連の処理である。カメラシステム１は、割込処理の終了後に、定常通信シーケンスの処理を再度行う。すなわち、カメラシステム１は、撮影シーケンスにおいて、定常通信シーケンスの処理を行わない。
【０１１４】
次に、図６を参照して、ステップＳ３（図５）で行う初期通信シーケンスにおける処理の手順について説明する。図６は、本実施形態に係る初期通信シーケンスにおける処理の手順を示す図である。
【０１１５】
（ステップＳ１０１）カメラ制御部１７０は、初期通信シーケンスが開始されると、電池有無情報及び機能種類情報を含むアクセサリー初期状態情報の送信を要求する送信要求コマンドＣ１を、アクセサリー制御部４４０へ送信する。
（ステップＳ１０２）アクセサリー制御部４４０は、カメラ制御部１７０からの送信要求コマンドＣ１を受信する。
（ステップＳ１０３）アクセサリー制御部４４０は、送信要求コマンドＣ１に従って、アクセサリー初期状態情報を、カメラ制御部１７０へ送信する。
（ステップＳ１０４）カメラ制御部１７０は、アクセサリー制御部４４０からのアクセサリー初期状態情報を受信する。
【０１１６】
（ステップＳ１０５）カメラ制御部１７０は、ステップＳ１０４で受信したアクセサリー初期状態情報から電池有無情報及び機能種類情報を抽出する。次に、カメラ制御部１７０は、抽出した機能種類情報に基づいて、アクセサリー４００が拡張機能を有するか否かを判定する。アクセサリー４００が拡張機能を有すると判定した場合（ステップＳ１０５；Ｙｅｓ）、ステップＳ１０６に進む。アクセサリー４００が拡張機能を有していないと判定した場合（ステップＳ１０５；Ｎｏ）、ステップＳ１１０に進む。
【０１１７】
（ステップＳ１０６）カメラ制御部１７０は、「給電継続情報」の送信を要求する送信要求コマンドＣ２を、アクセサリー４００へ送信する。
なお、「給電継続情報」とは、カメラ１０側においてユーザーによって電源スイッチ３１をオフにする電源ＯＦＦ操作がなされた場合(電源オフ状態)、あるいはカメラ１０がスリープ状態（所定時間ユーザー操作がなかった場合に移行する低消費電力状態）に移行した場合であっても、カメラ１０からアクセサリー４００への電力供給（給電）を維持してもらうか否かを、をアクセサリー４００側からカメラ１０に予め要求するための情報である。上述の電源オフ状態、スリープ状態とは何れも、カメラ１０が起動して各種のカメラ動作（例えば撮影動作などのカメラの持つ機能を発揮できる動作）を実行することが出来ない状態を示す。換言すれば、電源オフ状態、スリープ状態とは、カメラ１０が起動してカメラ動作を実行するため起動状態とは異なる状態である所定状態である。
なお、所定状態とは、カメラの電源がオフとなる電源オフ状態、およびカメラの消費電力が起動状態の場合の消費電力よりも少ない低消費電力状態（スリープ状態）のうち少なくとも１つの状態である。
（ステップＳ１０７）アクセサリー制御部４４０は、カメラ制御部１７０からの送信要求コマンドＣ２を受信する。
【０１１８】
（ステップＳ１０８）アクセサリー制御部４４０は、送信要求コマンドＣ２に従って、不揮発性メモリー４４５に記憶されている給電継続の要求をするか否かを示す情報である給電継続情報を読み出し、読み出した給電継続情報をカメラ制御部１７０へ送信する。すなわち、給電継続情報は、給電継続の要求有り、または給電継続の要求無しを含んでいる。
（ステップＳ１０９）カメラ制御部１７０は、アクセサリー制御部４４０からの給電継続情報を受信する。
【０１１９】
（ステップＳ１１０）カメラ制御部１７０は、ステップＳ１０９で受信した給電継続情報が、給電継続の要求有りか否かを判定する。給電継続の要求有りと判定した場合（ステップＳ１１０；Ｙｅｓ）、ステップＳ１１１に進む。給電継続の要求無しと判定した場合（ステップＳ１１０；Ｎｏ）、または拡張機能を有していないと判定した場合（ステップＳ１０５；Ｎｏ）、ステップＳ１１２に進む。
【０１２０】
（ステップＳ１１１）給電継続の要求有りと判定した場合、カメラ制御部１７０は、給電継続情報に基づき、アクセサリー４００がカメラ１０から給電を継続して受ける機能を有していることを示すフラグ（以下、電力給電継続のフラグという）を不揮発性メモリー１６０に設定する。カメラ制御部１７０は、この電力給電継続のフラグが設定されることによって、カメラ１０の電源オフ状態またはスリープ状態へ移行の際に、アクセサリー４００に対して給電を継続する。
換言すれば、カメラ制御部１７０は、電力給電継続のフラグが設定されなければ、カメラ１０の電源オフ状態またはスリープ状態において、アクセサリー４００への給電を継続しない。
【０１２１】
（ステップＳ１１２）カメラ制御部１７０は、ステップＳ１０５で抽出した機能種類情報に基づいて、アクセサリー４００が閃光発光機能を有するか否かを判定する。閃光発光機能を有すると判定した場合、カメラ制御部１７０は、例えば、アクセサリー４００との間で、閃光発光機能に関する所定のコマンドの送信等を行う。
以上で初期通信シーケンス処理を終了する。
【０１２２】
次に、カメラ１０とアクセサリー４００が行う初期通信シーケンスの具体的な例について説明する。
ステップＳ１０３において、アクセサリー制御部４４０は、送信要求コマンドＣ１に従って、電池有無情報、及び機能種類情報を含むアクセサリー初期状態情報をカメラ制御部１７０へ送信する。図４に示したアクセサリー４００の場合、電池有無情報は、電池無しを示す情報である。機能種類情報は、閃光発光機能の有りを示す情報、及び拡張機能の有りを示す情報を含む。
このため、ステップＳ１０５において、カメラ制御部１７０は、アクセサリー４００が機能拡張を備えていると判定し、「給電継続要求」の送信を要求する送信要求コマンドＣ２を、アクセサリー４００へ送信する。
次に、アクセサリー制御部４４０は、送信要求コマンドＣ２に従って、給電継続情報をカメラ制御部１７０へ送信する。この場合、給電継続情報は、給電継続の要求有りである。
【０１２３】
次に、図７を参照して、カメラ１０がアクセサリー４００に対して行う給電制御について説明する。図７は、本実施形態に係るカメラ１０がアクセサリー４００に対して行う給電制御処理の手順を示す図である。
【０１２４】
（ステップＳ２０１）カメラボディ１００のシュー座１５にアクセサリー４００がユーザーにより装着されると、起動検出レベルＤＥＴの信号レベルは、Ｌ（ロー）レベルになる。
（ステップＳ２０２）カメラ制御部１７０は、起動検出レベルＤＥＴの信号レベルがＬレベルであるか否かの判定する判定処理を行う。起動検出レベルＤＥＴの信号レベルがＬレベルでないと判定した場合（ステップＳ２０２；Ｎｏ）、カメラ制御部１７０は、アクセサリー４００がカメラボディ１００に装着されていない状態であると判定してステップＳ２０２の判定処理を再度行う。起動検出レベルＤＥＴの信号レベルがＬレベルであると判定した場合（ステップＳ２０２；Ｙｅｓ）、ステップＳ２０３に進む。
【０１２５】
（ステップＳ２０３）カメラ制御部１７０とアクセサリー制御部４４０は、図５を参照して説明した初期通信シーケンス処理を行う。カメラ制御部１７０は、初期通信シーケンス処理において、アクセサリー４００に対してカメラ１０の端子部２５を介して電力供給を開始する。
【０１２６】
（ステップＳ２０４）カメラ制御部１７０は、操作が行われていない状態（以下、無操作状態という）が、予め定められた期間、継続しているか否かを判定する。予め定められた期間は、ユーザーが設定スイッチ１０４により設定、または選択した期間（例えば５分間）である。無操作状態が予め定められた期間、継続していないと判定した場合（ステップＳ２０４；Ｎｏ）、ステップＳ２０４を繰り返す。無操作状態が予め定められた期間、継続していると判定した場合（ステップＳ２０４；Ｙｅｓ）、ステップＳ２０５に進む。
【０１２７】
（ステップＳ２０５）無操作状態が予め定められた期間、継続していると判定した場合、カメラ制御部１７０は、不揮発性メモリー１６０に電力給電継続のフラグが設定されているか否かを判定する。電力給電継続のフラグが設定されていないと判定した場合（ステップＳ２０５；Ｎｏ）、ステップＳ２０６に進む。電力給電継続のフラグが設定されていると判定した場合（ステップＳ２０５；Ｙｅｓ）、ステップＳ２０７に進む。
【０１２８】
（ステップＳ２０６）電力給電継続のフラグが設定されていないと判定した場合、カメラ制御部１７０は、アクセサリー４００への電力供給を停止する。すなわち、カメラ制御部１７０は、端子部２５を介して供給していた電力ＰＷＲのアクセサリー４００への供給を停止する。
【０１２９】
（ステップＳ２０７）カメラ制御部１７０は、カメラ１０をスリープ状態になるように制御する。カメラ制御部１７０は、アクセサリー制御部４４０にスリープ状態になることを示す情報（スリープ処理開始情報）を送信する。
ステップＳ２０７において、ステップＳ２０５において電力給電継続のフラグが設定されていると判定した場合（ステップＳ２０５；Ｙｅｓ）、カメラ制御部１７０は、アクセサリー４００への電力供給を停止せずに、カメラ１０をスリープ状態にする。
【０１３０】
（ステップＳ２０８）アクセサリー制御部４４０は、スリープ処理開始情報を受信した後、カメラ１０から供給された電力を用いて充電部４３２の充電を行う。
充電部４３２への充電が完了した後、アクセサリー制御部４４０は、ステップＳ２０３に戻る。または、アクセサリー制御部４４０は、カメラ１０からの通信制御信号ＣｓがＬレベルからＨレベルに変化したことを検出して、ステップＳ２０３に戻る。この結果、カメラ１０がスリープ状態から復帰した場合、アクセサリー４００は、カメラ１０と通信可能な状態になる。
【０１３１】
（ステップＳ２０９）カメラ制御部１７０は、設定スイッチ１０４、またはレリーズ釦１６等が操作されたか否かを、スリープ状態を維持しながら検出する。この場合、例えば、設定スイッチ１０４、またはレリーズ釦１６等が操作されると、カメラ制御部１７０に割り込み信号が入力される。割り込み信号を検出することで、カメラ制御部１７０はスリープ状態から復帰する。設定スイッチ１０４、またはレリーズ釦１６等が操作されたと判定した場合（ステップＳ２０９；Ｙｅｓ）、ステップＳ２０３に戻る。設定スイッチ１０４、またはレリーズ釦１６等が操作されていないと判定した場合（ステップＳ２０９；Ｎｏ）、ステップＳ２０９が繰り返される。
【０１３２】
以上により、アクセサリー４００がカメラ１０へ給電継続情報として給電継続の要求有りを送信した場合、カメラ１０がスリープ状態であっても、アクセサリー４００に電力が供給され続ける。この結果、アクセサリー制御部４４０は、カメラ１０がスリープ状態であっても、供給された電力を用いて充電部４３２の充電を行うように制御する。この結果、カメラ１０がスリープ状態から復帰した直後であっても、アクセサリー４００における充電部４３２の充電が完了しているため、カメラシステム１は、閃光光源４３１を発光させて、撮影をすぐに行うことができる。
【０１３３】
［第２実施形態］
第１実施形態では、アクセサリー制御部４４０は、不揮発性メモリー４４５に記憶されている給電継続情報を読み出してカメラ制御部１７０に送信する例を説明した。本実施形態では、アクセサリー制御部４４０が、給電継続の要求有り、または給電継続の要求無しのどちらを送信するか判定して送信する例について説明する。
【０１３４】
アクセサリー制御部４４０は、不揮発性メモリー４４５に記憶されている発光回数を含む発光履歴情報（履歴情報）を読み出す。なお、発光回数とは、例えば、ユーザーがアクセサリー４００を使用開始してから、アクセサリー制御部４４０が閃光光源４３１を発光させた総回数である。アクセサリー制御部４４０は、読み出した発光回数が予め定められている回数より多いか否かを判定する。なお、予め定められている回数とは、例えば１００回である。発光回数が予め定められている回数より多い場合、アクセサリー制御部４４０は、閃光光源４３１の使用頻度が高いと判定する。閃光光源４３１の使用頻度が高いと判定した場合、アクセサリー制御部４４０は、図５を参照して説明した初期通信シーケンスにおいて、給電継続情報として給電継続の要求有りを示す情報を、カメラ制御部１７０に送信する。なお、アクセサリー制御部４４０は、図６のステップＳ１０８のタイミングで給電継続情報をカメラ制御部１７０に送信する。
【０１３５】
この結果、アクセサリー制御部４４０が不揮発性メモリー４４５に記憶されている履歴情報に基づいて、給電継続の要求有りをカメラ制御部１７０に送信した場合、カメラ１０がスリープ状態であっても、アクセサリー４００には電力が供給され続ける。アクセサリー制御部４４０は、カメラ１０がスリープ状態であっても、供給された電力を用いて充電部４３２の充電を行うように制御する。また、発光回数が予め定められている回数より高い場合、スリープ状態から復帰した直後にアクセサリー４００が使用される可能性が高い。この場合、スリープ復帰後に充電を開始したとしても、充電量が不十分となり発光できないか発光量不足のため所望の撮影が行えない。このため、アクセサリー制御部４４０は、スリープ状態であっても充電が継続されるように、給電継続の要求有りを示す情報をカメラ制御部１７０に送信し、スリープ状態であっても充電を行うように制御する。
【０１３６】
一方、発光回数が予め定められている回数より少ない場合、アクセサリー制御部４４０は、閃光光源４３１の使用頻度が低いと判定する。閃光光源４３１の使用頻度が低いと判定した場合、アクセサリー制御部４４０は、図５を参照して説明した初期通信シーケンスにおいて、給電継続情報として給電継続の要求無しを示す情報を、カメラ制御部１７０に、図６に示したステップＳ１０８のタイミングで送信する。発光回数が予め定められている回数より低い場合、スリープ状態から復帰後、すぐにアクセサリー４００が使用される可能性が低い。このため、アクセサリー制御部４４０は、スリープ状態であっても充電を継続させないように、給電継続の要求無しを示す情報をカメラ制御部１７０に送信し、スリープ状態であっても充電を継続させないように制御する。
【０１３７】
不揮発性メモリー４４５に発光回数の総回数が記憶されている例を説明したが、例えば、現在時刻を基準として、直近のカメラ１０の電源がオン状態の期間の発光回数（以下、期間発光回数という）も発光履歴情報として不揮発性メモリー４４５に記憶させておくようにしてもよい。
この場合、アクセサリー制御部４４０は、カメラ１０が電源オフ状態になった場合、不揮発性メモリー４４５に記憶されている履歴情報に含まれる発光回数をリセットする。この結果、不揮発性メモリー４４５には、カメラ１０の電源オンの期間発光回数が記憶される。
アクセサリー制御部４４０は、不揮発性メモリー４４５に記憶されている期間発光回数を読み出し、読み出した期間発光回数が予め定められている回数より多いか否かを判定する。期間発光回数が予め定められている回数より多いと判定した場合、アクセサリー制御部４４０は、閃光光源４３１の使用頻度が高いと判定する。この場合、アクセサリー制御部４４０は、図５を参照して説明した初期通信シーケンスのステップＳ３おいて、給電継続情報として給電継続の要求有りを示す情報を、カメラ制御部１７０に送信する。
期間発光回数が予め定められている回数より少ない場合、アクセサリー制御部４４０は、閃光光源４３１の使用頻度が低いと判定する。この場合、アクセサリー制御部４４０は、初期通信シーケンスにおいて、給電継続情報として給電継続の要求無しを示す情報を、カメラ制御部１７０に送信する。
【０１３８】
また、アクセサリー制御部４４０は、閃光光源４３１が発光された日時を、例えば所定の回数分、発光履歴情報として不揮発性メモリー４４５に記憶させておくようにしてもよい。例えば、過去、１０回分の閃光光源４３１が発光された日時を示す発光履歴情報が不揮発性メモリー４４５に記憶されている。この場合、アクセサリー制御部４４０は、不揮発性メモリー４４５に記憶されている所定の回数分の発光された日時を示す発光履歴情報を読み出し、読み出した日時を示す発光履歴情報に基づき、発光頻度を判定する。例えば、現在時刻を基準として、過去５分間に８回発光されている場合、アクセサリー制御部４４０は、閃光光源４３１の使用頻度が高いと判定する。判定の結果、使用頻度が高いと判定した場合、アクセサリー制御部４４０は、図５を参照して説明した初期通信シーケンスのステップＳ３において、給電継続情報として給電継続の要求有りを示す情報を、カメラ制御部１７０に送信する。
一方、判定の結果、使用頻度が低いと判定した場合、アクセサリー制御部４４０は、初期通信シーケンスにおいて、給電継続情報として給電継続の要求無しを示す情報を、カメラ制御部１７０に送信する。
【０１３９】
なお、本実施形態では、発光回数を示す情報（発光履歴）をアクセサリー４００の不揮発性メモリー４４５に記憶されている例を説明したが、発光履歴は、カメラ１０側の不揮発性メモリー１６０またはバッファメモリー１６５が記憶するようにしてもよい。この場合、定常通信シーケンスにおいて、アクセサリー制御部４４０は、カメラ制御部１７０に発光履歴を問い合わせ、アクセサリー制御部４４０が、カメラ１０側から受信した発光履歴に基づき、給電継続情報を、カメラ制御部１７０に送信するようにしてもよい。
【０１４０】
以上により、カメラ１０がスリープ状態において、アクセサリー制御部４４０は、電力の給電継続を要求するか否かを、発光回数に基づいて判定する。アクセサリー制御部４４０は、この判定結果に基づく給電継続情報を、カメラ制御部１７０に送信する。このため、発光回数が多い場合、カメラ１０がスリープ状態であっても、アクセサリー４００に給電が継続される。この結果、アクセサリー制御部４４０は、発光回数が多い場合、カメラ１０がスリープ状態であっても、供給された電力を用いて充電部４３２の充電を行うように制御する。このため、カメラ１０がスリープ状態から復帰した直後であっても、アクセサリー４００における充電部４３２の充電が完了しているため、カメラシステム１は、閃光光源４３１を使用する撮影をすぐに行うことができる。
また、アクセサリー制御部４４０は、充電部４３２への充電が完了した後、カメラ制御部１７０との初期通信シーケンスを待機するようにしてもよく、または、充電完了後、蓄電量を監視し、蓄電量が自然放電で予め定められている値より下がった場合、充電部４３２への充電を再開するようにしてもよい。または、アクセサリー制御部４４０は、カメラ１０がスリープ状態の期間、充電部４３２への充電を継続するようにしてもよい。
【０１４１】
なお、本実施形態では、アクセサリー制御部４４０は、発光履歴に基づいて給電継続情報を、カメラ制御部１７０に送信し、カメラ１０がスリープ状態になった後、カメラ１０から供給された電力を用いて充電部４３２を充電する例を説明したがこれに限られない。例えば、アクセサリー制御部４４０は、給電継続情報として給電継続の要求有りを示す情報を、カメラ１０に送信した場合であっても、発光履歴に基づいて充電部４３２を充電するか否かを判定するようにしてもよい。例えば、発光回数が予め定められている値より多い場合に、たとえアクセサリー制御部４４０が給電継続の要求無しを示す給電継続情報をカメラ制御部１７０に送信したとしても、充電部４３２を充電すると判定するようにしてもよい。また、例えば、期間発光回数が、たとえアクセサリー制御部４４０が給電継続の要求無しを示す給電継続情報をカメラ制御部１７０に送信したとしても、予め定められている値より多い場合に、アクセサリー制御部４４０は、充電部４３２を充電すると判定するようにしてもよい。この結果、カメラ１０の電池ＢＡＴの消費電力を軽減することができる。
【０１４２】
また、本実施形態では、カメラ１０がスリープ状態において、アクセサリー制御部４４０は、カメラ１０から供給された電力を用いて充電部４３２を充電する例を説明した。アクセサリー制御部４４０は、充電部４３２に充電する量（以下、充電量という）を、発光履歴に基づいて制御するようにしてもよい。
この場合、アクセサリー制御部４４０は、カメラ１０がスリープ状態になった後、不揮発性メモリー４４５に記憶されている発光回数を読み出す。次に、アクセサリー制御部４４０は、読み出した発光回数が予め定められている値より多いか否かを判定する。
発光回数が予め定められている値より多いと判定した場合、カメラ１０がスリープ状態になった後、アクセサリー制御部４４０は、充電部４３２を制御することで、充電部４３２への充電量が多くなるように制御する。例えば、アクセサリー制御部４４０は、充電部４３２の蓄電部に流れる電流量を、抵抗（図示せず）値を可変することで制御する。この結果、アクセサリー制御部４４０は、カメラ１０のスリープ時間が短い場合であっても、多くの充電量を充電することができるので、スリープ時間内に充電を完了することができる。このため、カメラ１０がスリープ状態から復帰した直後であっても、アクセサリー４００における充電部４３２の充電が完了しているため、カメラシステム１は、閃光光源４３１を使用する撮影をすぐに行うことができる。
また、発光回数が予め定められている値より少ないと判定した場合、カメラ１０がスリープ状態になった後、アクセサリー制御部４４０は、発光回数が予め定められている値より多い場合より少ない充電量を充電部４３２に充電するように制御する。この結果、カメラ１０の電池ＢＡＴの消費電力を軽減することができる。
また、アクセサリー制御部４４０は、カメラ１０がスリープ状態になった後、充電部４３２への充電量を発光回数のみではなく、充電部４３２の蓄電量も用いて、充電を行うか否かを判定するようにしてもよい。アクセサリー制御部４４０は、例えば、蓄電量が予め定められている値より多い場合、充電部４３２に充電せず、蓄電量が予め定められている値より少ない場合、充電部４３２に充電する。この結果、カメラ１０の電池ＢＡＴの電力を有効に使用することができる。
【０１４３】
［第３実施形態］
第３実施形態では、アクセサリー４００が電池を備え、アクセサリー４００がスリープ機能を備える例について説明する。
本実施形態において、アクセサリー４００は、閃光発光部４３０、アクセサリー制御部４４０、記憶部４４４、第１電源部（電源部１）４５０−１、第２電源部（電源部２）４５０−２、第１スイッチ部４６５、第２スイッチ部４７０、及び電池（図示せず）を備える。
【０１４４】
電池は、図４において、例えば、正極が端子Ｔｓ１1及びＴｓ１２に接続され、負極が端子Ｔｓ１〜Ｔｓ３、及びＴｓ５に接続されている。
アクセサリー制御部４４０は、第１〜第３実施形態の機能に加え、スリープ機能を有している。アクセサリー制御部４４０は、例えば、不揮発性メモリー４４５に予め記憶されている所定時間を読み出す。アクセサリー制御部４４０は、アクセサリー４００起動後、読み出した所定時間内にアクセサリー４００が使用されない場合、アクセサリー４００をスリープ状態になるように制御する。
【０１４５】
次に、アクセサリー制御部４４０が行う給電継続情報の判定処理について説明する。
アクセサリー制御部４４０は、アクセサリー４００が電池を備えているか否か、及びスリープ機能を備えているか否かを判定する。本実施形態において、アクセサリー制御部４４０は、アクセサリー４００が電池を備えていると判定し、スリープ機能を備えていると判定する。
次に、アクセサリー制御部４４０は、電池の有無、及びスリープ機能の有無の判定結果に基づき、図５を参照して説明した初期通信シーケンスにおいて、カメラ制御部１７０に、給電継続情報として給電継続の要求有りを示す情報を送信するか、または給電継続の要求無しを示す情報を送信するかを判定する。
【０１４６】
例えば、アクセサリー制御部４４０は、アクセサリー４００がスリープ機能を備え電池を備えていない場合、初期通信シーケンスで給電継続の要求無しを示す情報を、カメラ１０に送信すると判定する。例えば、アクセサリー制御部４４０は、アクセサリー４００がスリープ機能を備えず電池を備えていない場合、初期通信シーケンスで給電継続の要求有りを示す情報を、カメラ制御部１７０に送信すると判定する。
【０１４７】
以上のように、アクセサリー制御部４４０は、アクセサリー４００の電池の有無、及びスリープ機能の有無の判定結果に基づき、初期通信シーケンスにおいて、カメラ１０に、給電継続情報として給電継続の要求有りを示す情報を送信するか、給電継続の要求無しを示す情報を送信するか否かを判定する。そして、アクセサリー制御部４４０は、判定結果に基づき、給電継続の要求有りを示す情報、または給電継続の要求無しを示す情報を、初期通信シーケンスにおいてカメラ制御部１７０に送信する。この結果、カメラ制御部１７０は、アクセサリー４００の給電継続の要求に応じて、カメラ１０がスリープ状態であっても、アクセサリー４００に給電を継続することができる。また、アクセサリー制御部４４０は、例えば、アクセサリー４００がスリープ機能を備えず電池を備えていない場合、カメラ１０がスリープ状態であっても、供給された電力を用いて充電部４３２を充電するように制御できる。このように、アクセサリー制御部４４０は、アクセサリー４００が有する機能に応じて、給電継続情報をカメラ制御部１７０に送信するため、カメラ１０の電池ＢＡＴの電力を有効に使用することができる。
【０１４８】
［第４実施形態］
次に、第４実施形態について説明する。第２実施形態では、アクセサリー制御部４４０は、発光履歴（発光回数など）に基づいて給電継続の要求を行うか否かを判定する説明した。本実施形態では、カメラ制御部１７０が、発光履歴（発光回数など）に基づいてアクセサリー４００へ給電する電流量を制御する例を説明する。
【０１４９】
カメラ制御部１７０は、不揮発性メモリー１６０、またはバッファメモリー１６５に記憶されているアクセサリー４００の発光回数を含む発光履歴を読み出す。
次に、カメラ制御部１７０は、読み出した発光履歴から発光回数を抽出し、抽出した発光回数が予め定められている値より多いか否かを判定する。
発光回数が予め定められている値より多いと判定した場合、且つアクセサリー制御部４４０から給電継続情報として給電継続の要求有りを示す情報が送信されてきている場合、アクセサリー４００へ供給する電流が多くなるように、アクセサリー電源制御部３３を介して制御する。
一方、発光回数が予め定められている値より少ないと判定した場合、且つアクセサリー制御部４４０から給電継続情報として給電継続の要求有りを示す情報が送信されてきている場合、アクセサリー４００へ供給する電流を発光回数が予め定められている値より多いと判定した場合より少なくなるように、アクセサリー電源制御部３３を介して制御する。
【０１５０】
アクセサリー制御部４４０は、カメラ１０がスリープ状態になった後、カメラ１０から供給される電力を用いて、充電部４３２の充電を行う。
【０１５１】
以上により、カメラ制御部１７０は、カメラ１０がスリープ状態において、不揮発性メモリー１６０、またはバッファメモリー１６５に記憶されているアクセサリー４００の発光回数に基づきアクセサリー４００に給電する電力量を制御するようにした。この結果、アクセサリー制御部４４０は、カメラ１０がスリープ状態においても、カメラ１０から給電された電力に応じて充電部４３２を充電できる。このため、カメラ１０は、電池ＢＡＴの電力を有効に使用することができる。また、カメラ１０がスリープ状態の期間、アクセサリー制御部４４０が充電部４３２に充電するため、カメラシステム１は、閃光光源４３１を使用する撮影をすぐに行うことができる。
【０１５２】
なお、第１〜第４実施形態では、アクセサリー制御部４４０が、カメラ制御部１７０が送信した給電継続情報の送信要求に従って、給電継続情報をカメラ制御部１７０へ送信する例を説明したが、これに限られない。初期通信シーケンスの処理において、アクセサリー制御部４４０は、給電継続情報をカメラ制御部１７０に送信すればよく、例えば、給電継続情報のみを単独でカメラ制御部１７０へ送信するようにしてもよい。または、アクセサリー制御部４４０は、給電継続情報を、アクセサリー初期状態情報（図５、ステップＳ１０３）を送信するときにカメラ制御部１７０に送信するようにしてもよい。
【０１５３】
また、第１〜第４実施形態では、カメラ１０が電源オン後、またはスリープ状態から復帰後に行う初期通信シーケンスにおいて、給電継続情報を送信する例を説明したが、これに限られない。例えば、初期通信シーケンスは、アクセサリー４００の状態が変化した場合に、アクセサリー制御部４４０からカメラ制御部１７０へ、初期通信シーケンスを行うように依頼するコマンドを送信した後、初期通信シーケンスを行うようにしてもよい。例えば、アクセサリー４００が電池を有し、この電池の電圧が下がってきた場合、アクセサリー制御部４４０は、初期通信シーケンスを行うように依頼するコマンドをカメラ制御部１７０へ送信するようにしてもよい。
また、アクセサリー制御部４４０は、初期通信シーケンスの処理中ではなく、例えば定常通信シーケンスの処理中で給電継続情報をカメラ制御部１７０へ送信するようにしてもよい。また、アクセサリー制御部４４０は、初期通信シーケンスの処理中、または定常通信シーケンスの処理中ではなく、給電継続情報を適時、カメラ制御部１７０へ送信するようにしてもよい。
【０１５４】
また、第１〜第４実施形態では、カメラ１０がスリープ状態になる例を説明したが、カメラ１０が電源オフ状態の場合も同様である。この場合、アクセサリー制御部４４０は、カメラ１０が起動状態のときに、カメラ１０へ給電継続情報を送信する。カメラ１０は、アクセサリー制御部４４０から受信した給電継続情報に基づき、カメラ１０が電源オフ状態に、アクセサリー４００に給電を継続するか否かを判定する。給電継続情報が給電継続の要求有りの場合、カメラ制御部１７０は、アクセサリー４００へ給電を継続し、給電継続情報が給電継続の要求無しの場合、カメラ制御部１７０は、アクセサリー４００へ給電を継続しない。アクセサリー制御部４４０は、カメラ１０から給電が継続されている場合、給電された電力を用いて、充電部４３２の充電を行う。この結果、カメラ１０がオフ状態からオン状態になった直後であっても、アクセサリー４００における充電部４３２の充電が完了しているため、カメラシステム１は、閃光光源４３１を発光させて、撮影をすぐに行うことができる。
【０１５５】
なお、本発明の技術範囲は上記の実施形態に限定されるものではない。上記の実施形態で説明した要件のうち少なくとも１つの要件は、省略される場合がある。上記の実施形態で説明した各要件は、適宜、組み合わせることができる。
【０１５６】
なお、上述のカメラボディ１００とアクセサリー４００は、内部にコンピュータシステムを有している。そして、各機能部の動作の過程は、プログラムの形式でコンピュータ読み取り可能な記録媒体に記憶されており、このプログラムをコンピュータシステムが読み出して実行することによって、上記処理が行われる。ここでいうコンピュータシステムとは、ＣＰＵ及び各種メモリーやＯＳ、周辺機器等のハードウェアを含むものである。
【０１５７】
また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリーのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであってもよい。
【符号の説明】
【０１５８】
１・・・カメラシステム、１０・・・カメラ、１５・・・シュー座（アクセサリーシュー）、２５・・・端子部、１６０・・・不揮発性メモリー、１６５・・・バッファメモリー、４００・・・アクセサリー、４２２・・・係止爪（可動部材）、４２３・・・端子部、４２４・・・操作部、４３０・・・閃光発光部（発光部）、４４０・・・アクセサリー制御部、４４５・・・不揮発性メモリー、４６５・・・スイッチ部、４７０・・・スイッチ部、Ｔｐ１・・・接地端子、Ｔｐ２・・・接地端子、Ｔｐ３・・・基準電位端子、Ｔｐ４・・・同期信号端子、Ｔｐ５・・・基準電位端子、Ｔｐ６・・・通信信号端子、Ｔｐ７・・・起動検出レベル端子、Ｔｐ８・・・発光制御信号端子、Ｔｐ９・・・通信制御信号端子、Ｔｐ１０・・・オープン端子、Ｔｐ１１・・・電源端子、Ｔｐ１２・・・電源端子、Ｔｓ１・・・接地端子、Ｔｓ２・・・接地端子、Ｔｓ３・・・基準電位端子、Ｔｓ４・・・同期信号端子、Ｔｓ５・・・基準電位端子、Ｔｓ６・・・通信信号端子、Ｔｓ７・・・起動状態提供端子、Ｔｓ８・・・発光制御信号端子、Ｔｓ９・・・通信制御信号端子、Ｔｓ１０・・・オープン端子、Ｔｓ１１・・・電源端子、Ｔｓ１２・・・電源端子、ＣＬＫ・・・同期信号、ＤＥＴ・・・起動検出レベル、ＤＡＴＡ・・・通信信号、ＰＷＲ・・・電力、ＰＧＮＤ・・・基準電位、ＳＧＮＤ・・・基準電位
【図１】
2013064869.tif 000003
【図２】
2013064869.tif 000004
【図３】
2013064869.tif 000005
【図４】
2013064869.tif 000006
【図５】
2013064869.tif 000007
【図６】
2013064869.tif 000008
【図７】
2013064869.tif 000009